(57)【要約】【課題】設置された太陽光パネルの出力状態を安全に測定できる。【解決手段】複数の太陽光パネルのうちから発電電力量が低下した太陽光パネルを検出する太陽光パネル監視装置は、太陽電池パネルを配置した位置を特定する情報に基づいて、互いに近くに配置された複数の太陽電池パネルを選択する選択部と、太陽光パネルによって発電された電力を送る電線路が当該太陽光パネルに対応するように設けられており、前記選択部によって選択された複数の太陽光パネルにそれぞれ対応する前記電線路における電圧降下の大きさに基づいて、前記選択部によって選択された複数の太陽光パネルの発電状態を比較する判定部とを備えることを特徴とする。【選択図】図３
2015106625.tif 000002
【特許請求の範囲】
【請求項１】
複数の太陽光パネルのうちから発電電力量が低下した太陽光パネルを検出する太陽光パネル監視装置であって、
太陽電池パネルを配置した位置を特定する情報に基づいて、互いに近くに配置された複数の太陽電池パネルを選択する選択部と、
太陽光パネルによって発電された電力を送る電線路が当該太陽光パネルに対応するように設けられており、前記選択部によって選択された複数の太陽光パネルにそれぞれ対応する前記電線路における電圧降下の大きさに基づいて、前記選択部によって選択された複数の太陽光パネルの発電状態を比較する判定部と
を備えることを特徴とする太陽光パネル監視装置。
【請求項２】
前記判定部は、
前記複数の太陽光パネルが発電した電力を集約する集約点が設けられており、前記複数の太陽光パネルから前記集約点までの間に設けられた前記電線路のうちの少なくとも一部の区間の電線において生じる前記電圧降下の大きさを、前記選択部によって選択された複数の太陽光パネル同士で比較することによって、それぞれの太陽光パネルの発電状態を判定する
ことを特徴とする請求項１に記載の太陽光パネル監視装置。
【請求項３】
前記選択部は、
互いに隣り合って並ぶように配置された前記複数の太陽光パネルを組にして選択する
ことを特徴とする請求項２に記載の太陽光パネル監視装置。
【請求項４】
前記組にして選択された太陽光パネルには、第１の太陽光パネルと第２の太陽光パネルとが含まれており、
前記判定部は、
前記第１の太陽光パネルと前記集約点とを繋ぐ電線路によって生じる第１の電圧降下の大きさと、前記第２の太陽光パネルと前記集約点とを繋ぐ電線路によって生じる第２の電圧降下の大きさとに基づいて、前記太陽光パネルの発電状態を判定する
ことを特徴とする請求項３に記載の太陽光パネル監視装置。
【請求項５】
前記判定部は、
前記第１の電圧降下の大きさと前記第２の電圧降下の大きさとの比率が、予め定められた値に達しない場合に、前記選択された複数の太陽光パネルに、十分な出力電力を供給できていない太陽光パネルが含まれていると判定する
ことを特徴とする請求項４に記載の太陽光パネル監視装置。
【請求項６】
前記判定部は、
前記選択された太陽光パネルの出力の大きさが、当該太陽光パネルに応じて予め定められた所定の値を上回る場合に、前記太陽光パネルの発電状態の判定を有効な判定とする
ことを特徴とする請求項１から請求項５の何れか１項に記載の太陽光パネル監視装置。
【請求項７】
前記電線路における電圧降下の大きさを検出する入力処理部
を備え、
前記判定部は、
前記入力処理部によって検出された前記電圧降下の大きさに基づいて比較する
ことを特徴とする請求項１から請求項６の何れか１項に記載の太陽光パネル監視装置。
【請求項８】
前記入力処理部は、
前記電線路の接地側の極における電圧降下の大きさを検出し、
前記判定部は、
前記入力処理部によって検出された前記電線路の接地側の極における電圧降下の大きさに基づいて比較する
ことを特徴とする請求項７に記載の太陽光パネル監視装置。
【請求項９】
前記入力処理部が電圧降下を検出する電線路は、電圧降下を検出する区間の途中に接続点を設けることなく構成された導体によって構成されている
ことを特徴とする請求項７又は請求項８に記載の太陽光パネル監視装置。
【請求項１０】
前記入力処理部が電圧降下を検出する電線路は、電圧降下を検出する区間の途中に接続点がないケーブルによって構成されている
ことを特徴とする請求項７から請求項９の何れか１項に記載の太陽光パネル監視装置。
【請求項１１】
請求項１から１０の何れか１項に記載の太陽光パネル監視装置
を備えることを特徴とする太陽光発電システム。
【請求項１２】
複数の太陽光パネルのうちから発電電力量が低下した太陽光パネルを検出する太陽光パネル監視方法であって、
太陽電池パネルを配置した位置を特定する情報に基づいて、互いに近くに配置された複数の太陽電池パネルを選択する過程と、
太陽光パネルによって発電された電力を送る電線路が当該太陽光パネルに対応するように設けられており、前記選択された複数の太陽光パネルにそれぞれ対応する前記電線路における電圧降下の大きさに基づいて、前記選択された複数の太陽光パネルの発電状態を比較する過程と
を含むことを特徴とする太陽光パネル監視方法。
【請求項１３】
複数の太陽光パネルのうちから発電電力量が低下した太陽光パネルを検出する太陽光パネル監視装置のコンピュータに、
太陽電池パネルを配置した位置を特定する情報に基づいて、互いに近くに配置された複数の太陽電池パネルを選択するステップと、
太陽光パネルによって発電された電力を送る電線路が当該太陽光パネルに対応するように設けられており、前記選択された複数の太陽光パネルにそれぞれ対応する前記電線路における電圧降下の大きさに基づいて、前記選択された複数の太陽光パネルの発電状態を比較するステップと
を実行させるためのプログラム。
【発明の詳細な説明】
【技術分野】
【０００１】
本発明は、太陽光パネル監視装置、太陽光発電システム、太陽光パネル監視方法、及び、プログラムに関する。
【背景技術】
【０００２】
近年、大規模な太陽光発電施設が各所に構築され、１施設当たりの発電容量も増加する傾向にある。このように、太陽光発電施設の数やその発電容量の増加が進むにつれて、点検などの目的で、太陽光発電施設に設けられた太陽光パネルの出力状態の確認作業を実施する機会が増加している。このような作業は、技術者が現場で測定機器を用いて、各太陽光パネルの出力状態（開放電圧）を順に測定するという手順で実施されている。その現場には、高い電圧を発生しうる発電設備があり、また、その場所が高所となる場合がある。そのため、現場における作業については、安全を確保しながら測定を正確に実施することが要求されている。
【０００３】
太陽光発電施設において、各太陽光パネルの出力状態を集中管理するための技術がある（例えば、特許文献１参照）。
【先行技術文献】
【特許文献】
【０００４】
【特許文献１】特開平９−１２８０７０号公報
【発明の概要】
【発明が解決しようとする課題】
【０００５】
ところで、太陽光発電施設は屋外に設けられるものであり、周辺の建物や樹木の影や、雲の影に覆われるなどの周囲の状況の影響により特定の範囲に設けられている太陽光パネルの出力が低下することがある。しかしながら、特許文献１には、その周囲の状況の影響を受けたことにより生じ得る、各太陽光パネルの出力の低下の影響を回避するための知見は開示されていない。そのため、特許文献１の構成では、上記の影響を受けた場合に太陽光パネルの状態を正しく判定することができず、太陽光パネルに異常が発生したことを過検知する虞がある。
このように、特許文献１の構成では、信頼できる判定の結果を得ることができないことにより、現場で測定機器を用いて確認する作業が必要になる。その結果、特許文献１の構成を備えたとしても、現場で測定する作業の頻度を低減することができず、太陽光パネルの出力状態を安全に測定できるようにならないという問題がある。
上記のような問題を鑑みて、本発明の目的は、設置された太陽光パネルの出力状態を安全に測定できる太陽光パネル監視装置、太陽光発電システム、太陽光パネル監視方法、及び、プログラムを提供することにある。
【課題を解決するための手段】
【０００６】
［１］この発明は、上述した課題を解決するためになされたものであり、本発明の太陽光パネル監視装置は、複数の太陽光パネルのうちから発電電力量が低下した太陽光パネルを検出する太陽光パネル監視装置であって、太陽電池パネルを配置した位置を特定する情報に基づいて、互いに近くに配置された複数の太陽電池パネルを選択する選択部と、太陽光パネルによって発電された電力を送る電線路が当該太陽光パネルに対応するように設けられており、前記選択部によって選択された複数の太陽光パネルにそれぞれ対応する前記電線路における電圧降下の大きさに基づいて、前記選択部によって選択された複数の太陽光パネルの発電状態を比較する判定部とを備えることを特徴とする太陽光パネル監視装置である。
【０００７】
［２］また、上記太陽光パネル監視装置において、前記判定部は、前記複数の太陽光パネルが発電した電力を集約する集約点が設けられており、前記複数の太陽光パネルから前記集約点までの間に設けられた前記電線路のうちの少なくとも一部の区間の電線において生じる前記電圧降下の大きさを、前記選択部によって選択された複数の太陽光パネル同士で比較することによって、それぞれの太陽光パネルの発電状態を判定することを特徴とする。
【０００８】
［３］また、上記太陽光パネル監視装置において、前記選択部は、互いに隣り合って並ぶように配置された前記複数の太陽光パネルを組にして選択することを特徴とする。
【０００９】
［４］また、上記太陽光パネル監視装置において、前記組にして選択された太陽光パネルには、第１の太陽光パネルと第２の太陽光パネルとが含まれており、前記判定部は、前記第１の太陽光パネルと前記集約点とを繋ぐ電線路によって生じる第１の電圧降下の大きさと、前記第２の太陽光パネルと前記集約点とを繋ぐ電線路によって生じる第２の電圧降下の大きさとに基づいて、前記太陽光パネルの発電状態を判定することを特徴とする。
【００１０】
［５］また、上記太陽光パネル監視装置において、前記判定部は、前記第１の電圧降下の大きさと前記第２の電圧降下の大きさとの比率が、予め定められた値に達しない場合に、前記選択された複数の太陽光パネルに、十分な出力電力を供給できていない太陽光パネルが含まれていると判定することを特徴とする。
【００１１】
［６］また、上記太陽光パネル監視装置において、前記判定部は、前記選択された太陽光パネルの出力の大きさが、当該太陽光パネルに応じて予め定められた所定の値を上回る場合に、前記太陽光パネルの発電状態の判定を有効な判定とすることを特徴とする。
【００１２】
［７］また、上記太陽光パネル監視装置において、前記電線路における電圧降下の大きさを検出する入力処理部を備え、前記判定部は、前記入力処理部によって検出された前記電圧降下の大きさに基づいて比較することを特徴とする。
【００１３】
［８］また、上記太陽光パネル監視装置において、前記入力処理部は、前記電線路の接地側の極における電圧降下の大きさを検出し、前記判定部は、前記入力処理部によって検出された前記電線路の接地側の極における電圧降下の大きさに基づいて比較することを特徴とする。
【００１４】
［９］また、上記太陽光パネル監視装置において、前記入力処理部が電圧降下を検出する電線路は、電圧降下を検出する区間の途中に接続点を設けることなく構成された導体によって構成されていることを特徴とする。
【００１５】
［１０］また、上記太陽光パネル監視装置において、前記入力処理部が電圧降下を検出する電線路は、電圧降下を検出する区間の途中に接続点がないケーブルによって構成されていることを特徴とする。
【００１６】
［１１］また、本発明の太陽光発電システムは、上記発明の何れかの太陽光パネル監視装置を備えることを特徴とする。
【００１７】
［１２］また、本発明の太陽光パネル監視方法は、複数の太陽光パネルのうちから発電電力量が低下した太陽光パネルを検出する太陽光パネル監視方法であって、太陽電池パネルを配置した位置を特定する情報に基づいて、互いに近くに配置された複数の太陽電池パネルを選択する過程と、太陽光パネルによって発電された電力を送る電線路が当該太陽光パネルに対応するように設けられており、前記選択された複数の太陽光パネルにそれぞれ対応する前記電線路における電圧降下の大きさに基づいて、前記選択部によって選択された複数の太陽光パネルの発電状態を比較する過程とを含むことを特徴とする。
【００１８】
［１３］また、本発明のプログラムは、複数の太陽光パネルのうちから発電電力量が低下した太陽光パネルを検出する太陽光パネル監視装置のコンピュータに、太陽電池パネルを配置した位置を特定する情報に基づいて、互いに近くに配置された複数の太陽電池パネルを選択するステップと、太陽光パネルによって発電された電力を送る電線路が当該太陽光パネルに対応するように設けられており、前記選択された複数の太陽光パネルにそれぞれ対応する前記電線路における電圧降下の大きさに基づいて、前記選択部によって選択された複数の太陽光パネルの発電状態を比較するステップとを実行させるためのプログラムである。
【発明の効果】
【００１９】
本発明の太陽光パネル監視装置、太陽光発電システム、太陽光パネル監視方法、及び、プログラムによれば、設置された太陽光パネルの出力状態を安全に測定できる。
【図面の簡単な説明】
【００２０】
【図１】本発明の第１実施形態に係る太陽光発電システムの概略構成を示す構成図である。
【図２】本実施形態における太陽光発電システムの概要を示す斜視図である。
【図３】本実施形態における太陽光パネル監視装置による太陽光パネルの判定処理の手順を示すフローチャートである。
【図４】本実施形態における異常のあり得る太陽光パネルの検出について説明する説明図である。
【図５】本発明の第２実施形態に係る太陽光発電システムの構成を示す構成図である。
【図６】本実施形態における電圧降下に基づいた判定方法について説明するための説明図である。
【発明を実施するための形態】
【００２１】
以下、本発明の実施の形態を、添付図面を参照して説明する。
【００２２】
［第１実施形態］
【００２３】
（太陽光発電システムの概略構成）
図１は、本発明の第１実施形態に係る太陽光発電システムの概略構成を示す構成図である。同図は模式化した単線結線図の様式で各装置の接続を示す。
【００２４】
太陽光発電システム１は、太陽光発電装置１００、高圧盤３、パワーコンディショナ―（ＰＣＳ）４、ＤＣ集約箱５、ブランチ６１、６２、６３、太陽光パネル監視装置２００、及び、端末３００を備える。
【００２５】
太陽光発電装置１００は、太陽光発電ユニット１１０、１２０、１３０を備える。
太陽光発電ユニット１１０は、複数の太陽光パネルを備える。複数の太陽光パネルを、太陽光パネル（ＰＶＰ）１１１、１１２、１１３で示す。なお、各太陽光パネルは、複数の太陽電池（セル）を含み、太陽電池（セル）を複数直列に連ねて形成されている。このように複数直列に連ねて形成された太陽光パネルを、ストリングという場合がある。
太陽光発電ユニット１２０は、複数の太陽光パネルを備える。複数の太陽光パネルを、太陽光パネル（ＰＶＰ）１２１、１２２、１２３で示す。
太陽光発電ユニット１３０は、複数の太陽光パネルを備える。複数の太陽光パネルを、太陽光パネル（ＰＶＰ）１３１、１３２、１３３で示す。
【００２６】
上記の各太陽光パネルには、太陽光パネルによって発電された電力を送るケーブル（電線路）が当該太陽光パネルに対応するように設けられている。なお、以下の説明において、上記の太陽光パネルのそれぞれは、例えば、同等の発電性能を有するものとする。
【００２７】
ブランチ６１は、太陽光発電ユニット１１０に対応させて設けられ、太陽光パネル１１１、１１２、１１３のそれぞれが接続される。太陽光発電ユニット１１０内の各太陽光パネルは、太陽光パネルに対応させて設けた逆流防止用の整流素子を介して、ブランチ６１において互いに並列に接続されている。
ブランチ６２は、太陽光発電ユニット１２０に対応させて設けられ、太陽光パネル１２１、１２２、１２３のそれぞれが接続される。太陽光発電ユニット１２０内の各太陽光パネルは、太陽光パネルに対応させて設けた逆流防止用の整流素子を介して、ブランチ６２において互いに並列に接続されている。
ブランチ６３は、太陽光発電ユニット１３０に対応させて設けられ、太陽光パネル１３１、１３２、１３３のそれぞれが接続される。太陽光発電ユニット１３０内の各太陽光パネルは、太陽光パネルに対応させて設けた逆流防止用の整流素子を介して、ブランチ６３において互いに並列に接続されている。
ブランチ６１、６２、６３のそれぞれは、ケーブルを介してＤＣ集約箱５に接続されている。
【００２８】
ＤＣ集約箱５には、後述のパワーコンディショナ４に対応させて設けられ、ケーブルを介してブランチ６１、６２、６３が接続されており、各ブランチを介して各太陽光発電ユニットがそれぞれ接続されている。さらに、ＤＣ集約箱５の出力側には、パワーコンディショナ４が接続される。
各ブランチを介してＤＣ集約箱５にそれぞれ接続される各太陽光発電ユニットからの電力が、ＤＣ集約箱５において集約されて、集約された電力がパワーコンディショナ４に供給される。
【００２９】
また、パワーコンディショナ４は、各太陽光発電ユニットを制御して、各太陽光発電ユニットから出力される電力を調整するとともに、各太陽光発電ユニットから供給された電力を変換して出力する。
高圧盤３は、商用電力系統２に接続され、商用電力系統２からの電力を受電するとともに、パワーコンディショナ４によって変換された電力の一部を商用電力系統２に逆潮流させる。
【００３０】
太陽光パネル監視装置２００は、定めた２つの測定点間の電位を検出し、検出した電圧に基づいて判定処理を行い、その検出結果及び／又は判定結果を出力する。太陽光パネル監視装置２００は、入力処理部２１０、出力処理部２９０、記憶部２８０、制御部２４０を備える。
入力処理部２１０は、各太陽光パネルから当該太陽光パネルに対応するブランチの間に設けられたケーブル（電線路）において生じる電圧降下を検出する。例えば、各太陽光パネル側の端子と、当該太陽光パネルに対応するブランチに設けた端子とが電圧の測定点として定められており、入力処理部２１０は、その２つの測定点の電位差を上記の電圧降下として検出する。
【００３１】
記憶部２８０は、太陽光パネルが配置された位置を特定する配置位置情報、太陽光パネルからブランチまで接続するケーブルの長さと種別情報などの施設情報を、太陽光パネルを識別する識別情報に対応付けて記憶する。ケーブルの長さは、上記の２つの測定点間の亘長としてもよい。さらに、記憶部２８０は、入力処理部２１０によって検出された電圧降下の検出結果や、後述の、制御部２４０（判定部２４４）による判定結果を記憶するように構成してもよい。
【００３２】
制御部２４０は、入力処理部２１０によって検出された電圧降下に基づいた電位差情報と、記憶部２８０に記憶されている太陽光パネルの配置位置情報と、太陽光パネルからブランチまで接続するケーブルの施設情報とに基づいて太陽光パネルの発電状態を判定する。
例えば、制御部２４０は、選択部２４２と判定部２４４とを備える。
選択部２４２は、太陽電池パネルを配置した位置を特定する配置位置情報に基づいて、互いに近くに配置された複数の太陽電池パネルを選択する。
判定部２４４は、選択部２４２によって選択された複数の太陽光パネルにそれぞれ対応するケーブル（電線路）における電圧降下の大きさに基づいて、選択部２４２によって選択された複数の太陽光パネルの発電状態を比較して、各太陽光パネルの発電状態を判定する。
【００３３】
出力処理部２９０は、制御部２４０によって検出された検出結果、及び／又は、制御部２４０によって判定された判定結果を出力する。出力処理部２９０は、検出結果及び判定結果を、出力処理部２９０に設けられた表示部に表示させてもよい。また、出力処理部２９０は、検出結果及び判定結果を太陽光パネル監視装置２００の外部の装置(端末３００等)に送信して、同装置において表示させてもよい。
太陽光パネル監視装置２００には、通信路５００を介して端末３００が接続される。
端末３００は、太陽光パネル監視装置２００から出力される検出結果及び／又は判定結果（警報など）を受信して、表示するとともに、検出結果及び／又は判定結果を記録する。
【００３４】
（太陽光パネルの監視方法について）
図２を参照して、太陽光発電システム（太陽光パネル監視装置）における太陽光パネルの監視方法の概要について説明する。同図は、太陽光発電システムの概要を示す斜視図である。
同図には、太陽光発電システム１の太陽光発電ユニット１１０、１２０、１３０が配置された状態が示されている。太陽光発電ユニット１１０、１２０、１３０の各太陽光発電ユニットは、Ｘ軸方向に沿うように並べられ、Ｙ軸方向に互いに所定の距離を隔てて配置されている。例えば、太陽光発電ユニット１１０における太陽光パネル１１１、１１２、１１３の各太陽光パネルは、順にＸ軸方向に沿う方向に並べて設けられている。太陽光発電ユニット１２０、１３０においても同様に、各太陽光パネルが、順にＸ軸方向に沿う方向に並べて設けられている。
ここで、上記の太陽光発電ユニット１１０、１２０、１３０に影響を及ぼす範囲に樹木９が立っており、その影が太陽光発電ユニット１１０にかかっている状況が示されている。
【００３５】
太陽光発電ユニット１１０内の何れかの太陽光パネルに含まれる太陽電池（セル）等が故障するなどの障害が発生すると、その障害に伴って太陽光パネルからの出力（発電電力量）が低下する。また、同図に示すように、太陽光発電システム１は、屋外に設けられるものであり、その発電量は樹木や雲の影に覆われるなどの影響を受ける。太陽光発電システム１は、このような影響を受けた場合、太陽光パネルに障害が生じていなくても、樹木や雲の影に覆われるなどの影響を受けた特定の太陽光パネルの出力が低下する。そのため、特定の太陽光パネルの出力の低下が、障害により生じたものか、樹木や雲の影に覆われるなどの影響を受けたことにより生じたものかを、その出力に係る情報から区別することは容易に実施できることではない。
【００３６】
そこで、太陽光発電システム１は、複数の太陽光パネルのうちから出力が低下した太陽光パネルを下記のような方法で検出する。
太陽光発電システム１は、太陽電池パネルを配置した位置を特定する情報に基づいて、互いに近くに配置された複数の太陽電池パネルの出力状態を比較するようにした。このようにしたことにより、上記のような環境の変化の影響を回避して太陽光パネルの出力状態を判定するようにした。
さらに、互いに近くに配置された複数の太陽光パネルの発電状態を比較は、複数の太陽光パネルにそれぞれ対応するケーブル（電線路）における電圧降下の大きさに基づいて行うようにした。
上記の監視方法により、設置された太陽光パネルの出力状態を正確に判定できるようになることにより、太陽光パネルの出力に異常があると過検知することを低減できる。このように、異常を検知した際に現場で太陽光パネルの状態を確認する作業の頻度を低減することができ、設置された太陽光パネルの出力状態を安全に測定することが可能になる。
【００３７】
次に、図３を参照して、太陽光発電システム１における太陽光パネル監視装置２００による太陽光パネルの判定処理の手順について説明する。同図は、太陽光パネル監視装置２００による太陽光パネルの判定処理の手順を示すフローチャートである。
太陽光パネル監視装置２００の入力処理部２１０は、各太陽光パネルに対応して設けられ、各太陽光パネルによって、それぞれ発電した電力を送るケーブルによる電圧降下を計測し、計測した結果を記憶部２８０に記憶させる。上記のケーブルによる電圧降下の大きさを太陽光パネルの出力レベルを示す情報として扱う（ステップＳａ１０）。
選択部２４２は、記憶部２８０を参照し、太陽電池パネルを配置した位置を特定する配置位置情報に基づいて、互いに近くに配置された複数の太陽電池パネルを、比較する太陽光パネルとして選択する（ステップＳａ２０）。
【００３８】
判定部２４４は、選択部２４２によって選択された太陽光パネルの電圧降下を比較して（ステップＳａ３０）、その比較の結果から、異常があり得ると判定した太陽光パネルがあるか否かを判定する（ステップＳａ４０）。
ステップＳａ４０における判定により、異常があり得ると判定した太陽光パネルがある場合（ステップＳａ４０：「あり」）、判定部２４４は、ステップＳａ４０において異常があり得ると判定した全ての太陽光パネルに対して、ステップＳａ４０における判定の結果が有効であるか否かについて判定する。例えば、ステップＳａ４０における判定の結果が有効であるか否かについて判定は、予め定めた閾値を基準にして、電圧降下の値がその閾値を超えるか否かについて判定する。例えば、その閾値を、太陽光パネルの定格出力時における電圧降下の約半分の大きさに定める（ステップＳａ５０）。
ステップＳａ５０における判定により、異常があり得ると判定した全ての太陽光パネルについて、その判定の結果に基づいて、少なくとも１つの太陽光パネルについて有効であると判定した場合（ステップＳａ５０：「有効」）、判定部２４４は、出力処理部２９０において警報を発出させて（ステップＳａ６０）、太陽光パネル監視装置２００は判定処理を終了する。
【００３９】
一方、ステップＳａ４０における判定により、異常があり得ると判定した太陽光パネルがない場合（ステップＳａ４０：「なし」）、太陽光パネル監視装置２００は判定処理を終了する。
また、ステップＳａ５０における判定により、異常があり得ると判定した全ての太陽光パネルの判定の結果について有効でないと判定した場合（ステップＳａ５０：「無効」）、太陽光パネル監視装置２００は判定処理を終了する。
太陽光パネル監視装置２００は、上記の手順に従って、太陽光パネルの判定処理を実施する。
以下、上記の各手順の詳細について、順に説明する。
【００４０】
（異常のあり得る太陽光パネルの検出方法）
次に、図４を参照して、異常のあり得る太陽光パネルの検出について説明する。同図は、異常のあり得る太陽光パネルの検出について説明する説明図である。
まず、同図（ａ）に、出力状態を電圧降下の大きさだけに基づいて判定する方法を例示する。
同図（ａ）に示すように、パネル＃１、＃２、＃３の3つの太陽光パネルの出力状態を下記のケースに大別する。太陽光パネルの出力状態（出力レベル）を、前述の電圧降下の値によって示す。太陽光パネルの出力レベルの最大値を太陽光パネルの定格出力にして、以下の説明ではその値を「１００」とする。
なお、異常があるか否かの判定の基準（判定基準）にする閾値を下記のように定める。例えば、判定基準にする閾値は、同一のユニット内で最も大きな出力状態にある太陽光パネルのケーブルにおける電圧降下の８０％にする。
ケース１では、3つの太陽光パネルとも、９０以上の出力レベルを維持できており、判定基準を下まわる太陽光パネルはない。この場合、全ての太陽光パネルの出力レベルは正常と判定される。
ケース２では、3つの太陽光パネルのうち＃２の太陽光パネルが７０まで低下し、他の＃１と＃３の太陽光パネルが９２の出力レベルを維持している。この場合、＃２の太陽光パネルだけ判定基準を下まわっており、＃２の太陽光パネルの出力レベルは異常と判定され、他の＃１と＃３の太陽光パネルの出力レベルは正常と判定される。
ケース３では、3つの太陽光パネルのうち＃１と＃２の太陽光パネルが７２と７０まで低下し、＃３の太陽光パネルが９２の出力レベルを維持している。この場合、＃１と＃２の太陽光パネルが判定基準を下まわっており、＃１と＃２の太陽光パネルの出力レベルは異常と判定され、＃３の太陽光パネルの出力レベルは正常と判定される。
ケース４では、3つの太陽光パネルのうち＃２と＃３の太陽光パネルが７０と７２まで低下し、＃１の太陽光パネルが９２の出力レベルを維持している。この場合、＃２と＃３の太陽光パネルが判定基準を下まわっており、＃２と＃３の太陽光パネルの出力レベルは異常と判定され、＃１の太陽光パネルの出力レベルは正常と判定される。
【００４１】
さらに、異なる条件のもとでの判定結果の例を示す。ケース２、３、４における出力レベルが７０であった太陽電池パネルの出力レベルを７８まで回復した場合を、それぞれケース２Ａ、３Ａ、４Ａに示す。出力レベルが７８に回復した太陽電池パネルは、正常と判定されるが、出力レベルが７２のままの太陽電池パネルは、異常と判定される。
以上に示すように、単に、出力レベルの大きさを判定する判定方法では、単体の障害に起因する要因と、外部からの影響を要因とするものを区別することができず、外部からの影響を要因とするものまでを異常と判定することになる。例えば、隣接する２つの太陽光パネルに陰が射したことにより、ともに出力レベルが低下するような場合においても、双方のパネルとも異常と判定してしまう。上記の判定方法では、正常な状態までも異常な状態にあると過検知しないような閾値を設定することが必要になる。
【００４２】
次に、同図（ｂ）に、配置位置に基づいた判定方法を示す。同図（ｂ）においても３つの太陽光パネルの出力レベルを、前述の同図（ａ）の場合と同じ値にして、前述の判定方法との対比を行いやすくした。
隣り合う＃１と＃２の太陽電池パネルの組と、＃２と＃３の太陽電池パネルの組を、太陽電池パネルを配置した位置を特定する情報に基づいて選択する。選択した組の２つの太陽電池パネルの出力レベルの大きさの比（比率）をそれぞれ算出する。
ケース1の場合について説明する。
＃１と＃２の太陽電池パネルの組では、＃１の太陽電池パネルの出力レベルは９２であり、＃２の太陽電池パネルの出力レベルは９０である。ここで、＃１の太陽電池パネルの出力レベルを基準にした＃２の太陽電池パネルの出力レベルの比を算出する。その算出結果が９８％になる。
また、＃２と＃３の太陽電池パネルの組では、＃２の太陽電池パネルの出力レベルは９０であり、＃３の太陽電池パネルの出力レベルは９２である。ここで、＃２の太陽電池パネルの出力レベルを基準にした＃３の太陽電池パネルの出力レベルの比を算出する。その算出結果が１０２％になる。
上記のように算出した比率に基づいて判定する閾値を、例えば８０％に定めて、上記の比率に基づいた判定を実施する。その比率が閾値の８０％以上の場合を正常と判定し、８０％未満の場合を異常と判定する。例えば、＃１と＃２の太陽電池パネルの組で判定した結果を、判定結果の＃２の欄に示し、＃２と＃３の太陽電池パネルの組で判定した結果を、判定結果の＃３の欄に示す。なお、＃１と＃２の太陽電池パネルの組で＃１の太陽電池パネルを判定の基準にしているため、＃１の太陽電池パネル自体の判定結果としては得ることができないため、この表では判定結果の＃１の欄を「未」としている。
【００４３】
ケース１、２、３、４及びケース２Ａ、３Ａ、４Ａのそれぞれの場合について上記の手順に従った判定処理を実施した結果を、判定結果の欄にそれぞれ示す。
同図（ａ）の結果と対比すると、２つ並んで出力レベルが低下した場合の判定を、異常な低下が生じた状態にあると判定された太陽光パネルが少なくなっていることが分かる。このように、異常な状態と判定し得る場合を、上記の処理により減らすことにより、判定の信頼度を高めることができる。
【００４４】
以下、判定部２４４による判定処理の変形例について説明する。
【００４５】
＜判定処理の第１の変形例＞
上記の判定処理の結果においても、ケース4の＃２の太陽光パネルは、異常があり得ると判定されている。このケース4の場合、＃２と＃３の太陽光パネルの出力レベルが併せて低下しているため、太陽光パネル単独の障害ではなく、外部からの影響を受けた結果によるものの可能性がある。
このケース4の条件は、ケース３の＃１と＃３の太陽光パネルの出力レベルの値を入れ替えたものである。このことから、判定結果がケース３とケース４における＃２の太陽光パネルの判定は同じになることが妥当である。
上記のケース３とケース４との違いは、数値の並びと判定処理を実施する方向との関係が逆になっているだけである。ケース4の数値のまま、判定処理の方向を逆にして、＃３の太陽光パネルを基準に判定を開始することで、ケース4の＃２の太陽光パネルも正常と判定されるようになる。
一方、ケース2の場合は、判定処理の方向を変えても異常と判定される。
この変形例の判定方法では、ケース２を異常と判定し、ケース4を正常と判定するように信頼度を高める処理を追加する。例えば、判定処理に、順方向と逆方向の判定処理を行い、双方の判定処理の結果で異常と判定されたものだけを「異常」として抽出する処理を追加する。このように、順方向と逆方向の判定処理を行うことで、判定処理の手順が増えるが、判定結果の信頼度を高めることができる。
【００４６】
＜判定処理の第2の変形例＞
第1実施形態と、その第１の変形例とにおける判定処理において、検出された電圧降下の大きさに基づいて判定するものとして説明したが、実際に検出された電圧降下の値は、出力レベルの変化が直接反映される。そのため、出力レベルの変化を直接的に検出するため、感度よく検出できる。ただし、その反面、感度がよいことにより、異常を過検出してしまう場合には下記の処理によりその感度を低減することができる。
例えば、検出された電圧降下の値を時系列情報として記憶部２８０に記憶しておき、所定の時間幅で移動平均をとり、その移動平均の結果を用いて、配置位置に基づいた判定を行う（ステップＳ４０）。
このように、検出した電圧降下の値を時系列の情報として扱って、時間軸方向に所定の時間幅を移動して、その範囲の情報を平均化する移動平均の手法を用いることにより、単発的な事象によって生じた変化によって特定の時刻に検出されたとしても、検出された値が平均化され、突出した事象の影響を薄めることができる。一方、連続的な事象によって生じた変化は継続して検出されることから、移動平均化の処理を行っても連続的な事象の情報を検出できる。これにより、故障などの継続性の事象を漏らすことなく検出することができる。
【００４７】
＜判定処理の第３の変形例＞
前述の第２の変形例において示したように、異常を過検出する場合がある。前述の第２の変形例では、電圧降下の大きさを判定する前に、時系列情報にした電圧降下の大きさを移動平均することとしたが、電圧降下の大きさを判定した後に、その判定による結果が所定の回数続けて異常と判定した場合を異常と判定するようにしてもよい。
【００４８】
＜判定処理の第４の変形例＞
上記の第１実施形態と、その第１から第４の変形例との何れにおいても、＃１の太陽光パネルは、判定の基準にしたため、＃１の太陽光パネル自体の判定が行えていない。
そこで、上記の判定を同一の太陽光発電ユニット内の太陽光パネルに対して実施していた場合には、上記の判定に代えて、異なる太陽光発電ユニット内の太陽光パネルに対して実施する。このように判定方向を、同一の太陽光発電ユニット内の判定と異なる方向にすることで、同一の太陽光発電ユニット内の判定において判定できなかった太陽光パネルも判定できるようになる。
【００４９】
以上に示すように、第1実施形態において、上記の各変形例を摘要することができる。
【００５０】
上記の監視方法に従えば、設置された太陽光パネルの出力状態を正確に判定できるようになることにより、太陽光パネルの出力に異常があると過検知することを低減できる。その結果、異常を検知した際に現場で太陽光パネルの状態を確認する作業の頻度を低減することができ、設置された太陽光パネルの出力状態を安全に測定することが可能になる。
【００５１】
［第２実施形態］
【００５２】
次に、図５を参照して太陽光発電システムの具体的な構成について説明する。同図は、本発明の第２実施形態に係る太陽光発電システムの構成を示す構成図である。図１と同じ構成には、同じ符号を附し、図１の説明を参照する。なお、同図の記載において、図１に対して一部の構成の記載を省略し、また、追加して記載する個所が含まれている。
【００５３】
本実施形態は、第１実施形態におけるケーブルの電圧降下の検出方法の一例をより具体的に示すものである。
ここで、同図に示される太陽光発電システム１Ａの構成について整理する。なお、以下の説明では、負極側接地の場合を例示する。
【００５４】
まず、太陽光発電ユニット１１０からＰＣＳ４までの電力系統の構成について説明する。
太陽光発電システム１の太陽光パネルには、それぞれの太陽光パネルによって発電された電力を送るケーブル（電線路）が当該太陽光パネルに対応するように設けられている。
例えば、太陽光パネル１１１は、出力端子ＴＯ１１１０を備える。太陽光パネル１１１の出力端子ＴＯ１１１０は、対を成すケーブル６１１１と６１１２を介して、ブランチ６１が備える複数組の入力側端子のうちの１組の端子ＴＩ６１１にそれぞれ接続されている。ケーブル６１１１が太陽光パネル１１１の正極にあたる出力端子ＴＯ１１１０の正極側に接続され、ケーブル６１１２が太陽光パネル１１１の負極にあたる出力端子ＴＯ１１１０の負極側に接続されている。なお、出力端子ＴＯ１１１０の正極側に繋がるケーブル６１１１には、逆流防止用の整流素子１１１１が設けられている。
【００５５】
同様に、太陽光パネル１１２は、出力端子ＴＯ１１２０を備える。太陽光パネル１１２の出力端子ＴＯ１１２０は、対を成すケーブル６１２１と６１２２を介して、ブランチ６１が備える複数組の入力側端子のうちの１組の端子ＴＩ６１２にそれぞれ接続されている。ケーブル６１２１が太陽光パネル１１２の正極にあたる出力端子ＴＯ１１２０の正極側に接続され、ケーブル６１２２が太陽光パネル１１２の負極にあたる出力端子ＴＯ１１２０の負極側に接続されている。なお、出力端子ＴＯ１１２０の正極側に繋がるケーブル６１２１には、逆流防止用の整流素子１１２１が設けられている。
同様に、太陽光パネル１１３は、出力端子ＴＯ１１３０を備える。太陽光パネル１１３の出力端子ＴＯ１１３０は、対を成すケーブル６１３１と６１３２を介して、ブランチ６１が備える複数組の入力側端子のうちの１組の端子ＴＩ６１３にそれぞれ接続されている。ケーブル６１３１が太陽光パネル１１３の正極にあたる出力端子ＴＯ１１３０の正極側に接続され、ケーブル６１２３が太陽光パネル１１３の負極にあたる出力端子ＴＯ１１３０の負極側に接続される。なお、出力端子ＴＯ１１３０の正極側に繋がるケーブル６１３１には、逆流防止用の整流素子１１３１が設けられている。
【００５６】
ブランチ６１は、複数組の入力側端子である端子ＴＩ６１１、６１２、６１３と、１組の出力側端子である端子ＴＯ６１０と、測定端子である端子ＴＣ６１９とを有する。端子ＴＩ６１１、６１２、６１３と、端子ＴＯ６１０とは、同じ極性の端子同士がブランチ６１内でそれぞれ接続されており、さらに、端子６１９が、その負極側から分岐されている。
上記のとおり、端子ＴＩ６１１、６１２、６１３には、太陽光パネル１１１、１１２、１１３のそれぞれが接続されている。
【００５７】
ブランチ６１の端子ＴＯ６１０は、対を成すケーブル５１１と５１２を介して、ＤＣ集約箱５が備える複数組の入力側端子のうちの１組の端子ＴＩ５１に接続されている。ケーブル５１１が出力端子ＴＯ６１０の正極側に接続され、ケーブル５１２が出力端子ＴＯ６１０の負極側に接続されている。
【００５８】
ＤＣ集約箱５の端子ＴＯ５０は、対を成すケーブル４１と４２を介して、ＰＣＳ４が備える１組の入力側端子ＴＩ４１に接続されている。ケーブル４１が出力端子ＴＯ５０の正極側に接続され、ケーブル４２が出力端子ＴＯ５０の負極側に接続されている。
なお、ＤＣ集約箱５の端子ＴＩ５２がブランチ６２に、端子ＴＩ５３がブランチ６３に、上記の端子ＴＩ５１と同様に接続されている。
【００５９】
以上が、太陽光発電ユニット１１０からＰＣＳ４までの電力系統の構成である。なお、太陽光発電ユニット１２０、１３０からＰＣＳ４までの電力系統の構成も、太陽光発電ユニット１１０からＰＣＳ４までの電力系統の構成と同様である。
【００６０】
次に、測定系の構成について説明する。
太陽光パネル１１１の出力端子ＴＯ１１１０の負極側の端子は、ケーブル９１１を介して、太陽光パネル監視装置２００が備える入力処理部２１０の入力端子２１１に接続されている。
太陽光パネル１１２の出力端子ＴＯ１１２０の負極側の端子は、ケーブル９１２を介して、太陽光パネル監視装置２００が備える入力処理部２１０の入力端子２１２に接続されている。
太陽光パネル１１３の出力端子ＴＯ１１３０の負極側の端子は、ケーブル９１３を介して、太陽光パネル監視装置２００が備える入力処理部２１０の入力端子２１３に接続されている。
また、ブランチ６１の端子ＴＣ６１９は、ケーブル６１５を介して、太陽光パネル監視装置２００が備える入力処理部２１０の入力端子２６１に接続されている。
【００６１】
なお、記載を省略するが、上記の接続と同様に、太陽光パネル監視装置２００が備える入力処理部２１０の入力端子２２１から２２３には、太陽光発電ユニット１２０の太陽光パネル１２１から１２３がそれぞれ接続され、入力端子２６２には、ブランチ６２が接続されている。また、太陽光パネル監視装置２００が備える入力処理部２１０の入力端子２３１から２３３には、太陽光発電ユニット１２０の太陽光パネル１３１から１３３がそれぞれ接続され、入力端子２６３には、ブランチ６３が接続されている。
【００６２】
（ケーブルのインピーダンスについて）      
太陽光パネルからブランチまでを接続するケーブルの長さは、各太陽光パネルと、その太陽光パネルに対応するブランチの配置に依存する。そのため、太陽光パネルからブランチまでを接続するケーブルの長さとそのケーブルの種別（型式）の情報を設備の施設情報（プロファイル情報）として記憶部２８０に保持しておくことで、その施設情報を利用することができる。このような施設情報を利用することにより、ケーブルの種別（型式）の情報から、単位長さあたりのインピーダンスを求めて、このインピーダンスの値にケーブルの長さを乗じることにより、このケーブルのインピーダンスを算出できる。
なお、太陽光パネルからブランチまでを接続するケーブルの長さは、施工時の実際の長さに設定してもよい。また、同ケーブルの長さを段階的な値をとる所定の長さを定めておき、定めた複数の長さの中から選択した長さを、ケーブルごとに選択するようにしてもよい。
上記のように、同ケーブルの長さと種別を設定することにより、各太陽光パネルからブランチまでのケーブルのインピーダンスを容易に算出できる。
【００６３】
ここで、算出したインピーダンスの値をＺ０とする。また、基準電圧降下の大きさをＤＶ０とし、検出した電圧降下の大きさをＤＶｋとする。電圧降下の大きさがＤＶｋの時の太陽光パネルが流す電流の大きさは、インピーダンスＺ０を用いて、（ＤＶｋ／Ｚ０）と表すことができる。このようにして、上記の電圧降下と太陽光パネル出力レベルとを対応付けることができる。
【００６４】
（電圧降下に基づいた判定方法について）
図６を参照して、電圧降下に基づいた判定方法について説明する。同図は、電圧降下に基づいた判定方法について説明するための説明図である。
同図は、３つの太陽光パネルから共通のブランチまでの電位をレベルダイアグラムで示している。矢印の方向は、電流の向きを示す。
横軸に、ブランチから太陽光パネルまでのケーブルの長さを示し、縦軸に電圧を示す。横軸の原点Ｏをブランチの位置に定め、原点Ｏを基準にして原点Ｏより左方向に各太陽光パネルの位置が示されている。
【００６５】
ここで、ブランチの負極側を基準電位に定めた場合に、ＰＣＳ４によって制御される制御電圧Ｖｃｏｎｔがブランチの正極にかかっているものとする。なお、説明を簡素化するため、ＰＣＳ４から各ブランチまでの電圧降下を０とみなしている。
また、各太陽光パネルは、発電した電力を、それぞれＶ１１１、Ｖ１１２、Ｖ１１３の電圧で出力可能とする。
各太陽光パネルが出力する電圧の大きさと、制御電圧Ｖｃｏｎｔの大きさとの関係で、各太陽光パネルに流れる電流が定まる。その電流の大きさに応じて、ケーブルにおける電圧降下の大きさが定まる。各太陽光パネルが、それぞれＶ１１１、Ｖ１１２、Ｖ１１３の電圧で出力可能とする場合において、逆流防止用の整流素子の端子間電圧をＶ１１１１、Ｖ１１２１、Ｖ１１３１で示す。また、その場合の、負極側ケーブルにおける電圧降下を、それぞれＶ６１１２、Ｖ６１２２、Ｖ６１３２で示し、正極側ケーブルにおける電圧降下を、それぞれＶ６１１１、Ｖ６１２１、Ｖ６１３１で示す。
【００６６】
同図では、各太陽光パネルが、それぞれＶ１１１、Ｖ１１２の電圧を出力し、それぞれの逆流防止用の整流素子が順バイアスされた状態では、逆流防止用の整流素子の端子間電圧がＶ１１１１とＶ１１２１になる。この状態であれば、太陽光パネルに電流が流れ、太陽光パネルからの電力を集約できる状態にある。また、太陽光パネルが比較的高い出力電圧Ｖ１１１を出力している場合の負極側ケーブルの電圧降下の大きさがＤＶ１１１になる。これに対し、太陽光パネルが比較的低い出力電圧Ｖ１１２を出力している場合の負極側ケーブルの電圧降下の大きさがＤＶ１１２になる。同図に示されるように、比較的高い出力電圧Ｖ１１１を出力している場合の負極側ケーブルの電圧降下ＤＶ１１１は、比較的低い出力電圧Ｖ１１２を出力している場合の負極側ケーブルにおける電圧降下ＤＶ１１２より大きくなる。このように、逆流防止用の整流素子が順バイアスされた状態であれば、太陽光パネルが出力する電圧の大きさに応じて電流の大きさが変化して、ケーブルにおける電圧降下の大きさもその変化に応じて変化する。よって、ケーブルにおける電圧降下の大きさを検出して、判定することにより、太陽光パネルの出力状態をばらつきも含めて判定することができる。
【００６７】
一方、太陽光パネルがＶ１１３の電圧を出力し、その逆流防止用の整流素子が逆バイアスされた状態では、逆流防止用の整流素子の端子間電圧がＶ１１１３になる。この状態であれば、太陽光パネルに電流が流れず、太陽光パネルからの電力を集約することができない状態にある。このように、逆流防止用の整流素子が逆バイアスされた状態であれば、太陽光パネルが出力する電圧の大きさが変化しても電流は流れないため、ケーブルにおける電圧降下は生じない。
ただし、上記のように、同一の太陽光発電ユニット内の他の太陽光パネルの逆流防止用の整流素子が順バイアスされ、十分な大きさの出力が他の太陽光パネルから得られているような状況においては、逆流防止用の整流素子が逆バイアスされる状態の太陽光パネルは何らかの障害がある可能性がある。そこで、十分な大きさの出力が他の太陽光パネルから得られているような状況においては、上記のステップＳ５０（図３）の判定において無効と判定される事象であっても、電圧降下の値が０ボルト付近の電圧であることを検出するように閾値を予め定めておき、その閾値に満たない電圧降下の値を継続的に出力する当該太陽光パネルの状態を異常状態と判定してもよい。
【００６８】
本実施形態では、上記のように、負極側ケーブルの電圧降下の値に基づいて判定するように構成している。太陽光発電システム１Ａにおいては、負極側を接地して共通電位にしているため、負極側ケーブルの電圧降下の大きさが高々数ボルト（マイナス数ボルト）の範囲に収まるように構成されている。そのため、太陽光発電システム１Ａにおいては、測定対象とする個所の電位が高々数ボルト（マイナス数ボルト）の範囲に収まる。このように、太陽光発電システム１Ａは、高電圧で充電されるケーブル等を測定のために増やすことなく測定系を構成できる。
なお、本実施形態の構成では、各太陽光パネルと各ブランチから太陽光パネル監視装置２００までの間のケーブルにシールドケーブルを用いて構成してもよい。
【００６９】
＜第２実施形態の第１の変形例＞
本実施形態では測定点の配置を、各太陽光パネルと各ブランチに設けるようにしたが、上記に制限されることなく変更することができる。例えば、安全面の確保ができるものであれば、接地側（負極側）のケーブルではなく、正極側の電線路（ケーブル等）の電圧降下を測定するようにしてもよい。また、その場合、正極側の電線路にケーブルを含むように設定してもよい。さらに逆流防止用素子を含むような範囲を設定してもよい。
【００７０】
＜第２実施形態の第２の変形例＞
本実施形態では負極側を接地側にしたが、正極側を接地側にしてもよい。
【００７１】
＜第２実施形態の第３の変形例＞
各ブランチの各端子がそのフレームに接続されるものとしたが、各ブランチが遮断器を備え、その遮断器がブランチの各端子とそのフレーム間に設けられていてもよい。この場合、太陽光発電システム１Ａは、何らかの理由で遮断器が遮断する状態になった場合も検出することができる。
【００７２】
上記の監視方法に従えば、設置された太陽光パネルの出力状態を正確に判定できるようになることにより、太陽光パネルの出力に異常があると過検知することを低減できる。その結果、異常を検知した際に現場で太陽光パネルの状態を確認する作業の頻度を低減することができ、設置された太陽光パネルの出力状態を安全に測定することが可能になる。
【００７３】
以上、本発明の実施形態について説明したが、上記実施形態において、太陽光発電システム１、１Ａ（太陽光パネル監視装置）内の各処理部の機能は専用のハードウェアにより実現されるものであってもよく、また、各処理部の機能を実現するためのプログラムをコンピュータ読み取り可能な記録媒体に記録して、この記録媒体に記録されたプログラムをコンピュータシステムに読み込ませ、実行することによりその機能を実現させるものであってもよい。
すなわち、太陽光発電システム１、１Ａにおける太陽光パネル監視装置２００は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳや周辺機器等のハードウェアを含むものとする。
【００７４】
（１）そして上記実施形態において、太陽光パネル監視装置２００は、複数の太陽光パネルのうちから発電電力量が低下した太陽光パネルを検出する太陽光発電システム１であって、太陽電池パネルを配置した位置を特定する情報に基づいて、互いに近くに配置された複数の太陽電池パネルを選択する選択部２４２と、太陽光パネルによって発電された電力を送る電線路が当該太陽光パネルに対応するように設けられており、選択部２４２によって選択された複数の太陽光パネルにそれぞれ対応する前記電線路における電圧降下の大きさに基づいて、選択部２４２によって選択された複数の太陽光パネルの発電状態を比較する判定部２４４とを備える。
【００７５】
このような構成の太陽光パネル監視装置２００では、太陽電池パネルを配置した位置を特定する情報に基づいて、互いに近くに配置された複数の太陽電池パネルを選択する。太陽光パネルによって発電された電力を送る電線路（ケーブル等）が当該太陽光パネルに対応するように設けられており、選択部２４２によって選択された複数の太陽光パネルにそれぞれ対応する電線路（ケーブル等）における電圧降下の大きさに基づいて、選択部２４２によって選択された複数の太陽光パネルの発電状態を比較する。
【００７６】
これにより、太陽光パネル監視装置２００は、選択部２４２によって選択された複数の太陽光パネルにそれぞれ対応する電線路（ケーブル等）における電圧降下の大きさに基づいて、選択部２４２によって選択された複数の太陽光パネルの発電状態を比較することができ、設置された太陽光パネルの出力状態を安全に測定できる。
【００７７】
（２）また、上記実施形態において、太陽光パネル監視装置２００では、判定部２４４は、複数の太陽光パネルが発電した電力を集約する集約点（ブランチ）が設けられており、複数の太陽光パネルから集約点（ブランチ）までの間に設けられた電線路のうちの少なくとも一部の区間の電線において生じる電圧降下の大きさを、選択部２４２によって選択された複数の太陽光パネル同士で比較することによって、それぞれの太陽光パネルの発電状態を判定する。
【００７８】
このような構成の太陽光パネル監視装置２００は、複数の太陽光パネルから集約点（ブランチ）までの間に設けられた電線路のうちの少なくとも一部の区間の電線において生じる電圧降下の大きさを、選択部２４２によって選択された複数の太陽光パネル同士で比較することによって、それぞれの太陽光パネルの発電状態を判定する。
【００７９】
これにより、太陽光パネル監視装置２００は、上記の電線路のうちの少なくとも一部の区間の電線において生じる電圧降下の大きさを、選択部２４２によって選択された複数の太陽光パネル同士で比較することによって、それぞれの太陽光パネルの発電状態を判定することができる。
【００８０】
（３）また、上記実施形態において、選択部２４２は、互いに隣り合って並ぶように配置された複数の太陽光パネルを組にして選択する。
【００８１】
このような構成の太陽光パネル監視装置２００では、選択部２４２が、互いに隣り合って並ぶように配置された複数の太陽光パネルを組にして選択することにより、選択されたそれぞれの太陽光パネルの発電状態を判定することができる。
【００８２】
（４）また、上記実施形態において、組にして選択された太陽光パネルには、第１の太陽光パネル（太陽光パネル１１１）と第２の太陽光パネル（太陽光パネル１１２）とが含まれており、判定部２４４は、第１の太陽光パネル（太陽光パネル１１１）と集約点（ブランチ６１）とを繋ぐ電線路（ケーブル６１１２）によって生じる第１の電圧降下の大きさと、第２の太陽光パネル（太陽光パネル１１２）と集約点（ブランチ６１）とを繋ぐ電線路（ケーブル６１２２）によって生じる第２の電圧降下の大きさとに基づいて、太陽光パネルの発電状態を判定する。
【００８３】
このような構成の太陽光パネル監視装置２００では、組にして選択された太陽光パネルに含まれる第１の太陽光パネル（太陽光パネル１１１）と前記集約点（ブランチ６１）とを繋ぐ電線路（ケーブル６１１２）によって生じる第１の電圧降下の大きさと、第２の太陽光パネル（太陽光パネル１１２）と集約点（ブランチ６１）とを繋ぐ電線路（ケーブル６１２２）によって生じる第２の電圧降下の大きさとに基づいて、太陽光パネルの発電状態を判定する。
【００８４】
これにより、太陽光パネル監視装置２００では、組にして選択された太陽光パネルのそれぞれと集約点（ブランチ６１）とを繋ぐ電線路（ケーブル６１１２、６１２２）があり、それぞれの電線路によって生じるそれぞれの電圧降下の大きさに基づいて、太陽光パネルの発電状態を判定することができる。
【００８５】
（５）また、上記実施形態において、判定部２４４は、第１の電圧降下の大きさと第２の電圧降下の大きさとの比率が、予め定められた値に達しない場合に、選択された複数の太陽光パネルに、十分な出力電力を供給できていない太陽光パネルが含まれていると判定する。
【００８６】
このような構成の太陽光パネル監視装置２００は、第１の電圧降下の大きさと第２の電圧降下の大きさとの比率が、予め定められた値に達しない場合に、選択された複数の太陽光パネルに、十分な出力電力を供給できていない太陽光パネルが含まれていると判定する。
【００８７】
これにより、太陽光パネル監視装置２００では、第１の電圧降下の大きさと第２の電圧降下の大きさとの比率から、十分な出力電力を供給できていない太陽光パネルが含まれていると判定することができる。
【００８８】
（６）また、上記実施形態において、判定部２４４は、選択された太陽光パネルの出力の大きさが、当該太陽光パネルに応じて予め定められた所定の値を上回る場合に、太陽光パネルの発電状態の判定を有効な判定とする。
【００８９】
このように、太陽光パネル監視装置２００では、選択された太陽光パネルからの出力の大きさに基づいて、太陽光パネルの発電状態の判定を有効とするか否かを判定できる。このような判定を行うことにより、当該太陽光パネルに応じて予め定められた値を上回る場合に、太陽光パネルの発電状態の判定を有効とする。
【００９０】
これにより、太陽光パネル監視装置２００では、このような判定を行うことにより、太陽光パネルの発電状態の判定を有効と判定することができる。
【００９１】
（７）また、上記実施形態において、太陽光パネル監視装置２００は、前記電線路における電圧降下の大きさを検出する入力処理部２１０を備え、判定部２４４は、入力処理部２１０によって検出された前記電圧降下の大きさに基づいて比較する。
【００９２】
このような構成の太陽光パネル監視装置２００では、入力処理部２１０が電線路における電圧降下の大きさを検出する。
【００９３】
これにより、太陽光パネル監視装置２００では、判定部２４４は、入力処理部２１０によって検出された前記電圧降下の大きさに基づいて比較することができる。
【００９４】
（８）また、上記実施形態において、太陽光パネル監視装置２００は、入力処理部２１０は、電線路の接地側の極における電圧降下の大きさを検出し、判定部２４４は、入力処理部２１０によって検出された前記電線路の接地側の極における電圧降下の大きさに基づいて比較する。
【００９５】
このような構成の太陽光パネル監視装置２００では、入力処理部２１０が、電線路の接地側の極における電圧降下の大きさを検出し、判定部２４４は、入力処理部２１０によって検出された前記電線路の接地側の極における電圧降下の大きさに基づいて比較する。
【００９６】
これにより、太陽光パネル監視装置２００では、判定部２４４は、電線路の接地側の極における電圧降下の大きさに基づいて比較することができる。
【００９７】
（９）また、上記実施形態において、太陽光パネル監視装置２００では、入力処理部２１０が電圧降下を検出する電線路は、電圧降下を検出する区間の途中に接続点を設けることなく構成された導体によって構成されている。
【００９８】
これにより、太陽光パネル監視装置２００では、入力処理部２１０が電圧降下を検出する電線路を、電圧降下を検出する区間の途中に接続点を設けることなく構成された導体によって構成することで、接触抵抗の影響を低減して電圧降下を比較することができる。
【００９９】
（１０）また、上記実施形態において、太陽光パネル監視装置２００では、入力処理部２１０が電圧降下を検出する電線路は、電圧降下を検出する区間の途中に接続点を設けることなく構成されたケーブルによって構成されている。
【０１００】
これにより、太陽光パネル監視装置２００では、入力処理部２１０が電圧降下を検出する電線路を、電圧降下を検出する区間の途中に接続点を設けることなく構成されたケーブルによって構成することで、接触抵抗の影響を低減して電圧降下を比較することができる。
【０１０１】
以上、本発明の実施の形態について説明したが、太陽光発電システム１及び太陽光パネル監視装置２００は、上述の図示例にのみに限定されるものではなく、本発明の要旨を逸脱しない範囲内において種々変更を加え得ることは勿論である。
【０１０２】
例えば、太陽光発電システム１（太陽光パネル監視装置２００）における全太陽光発電ユニットのユニット数は、発電設備として必要とされる発電量（発電電力）に応じて発電設備ごとに予め定められる。そのため、太陽光発電ユニットの数は図に示す構成に制限されることなく太陽光発電システムごと定められた任意の数にすることができる。
また、各太陽光発電ユニットにおける太陽光パネルの数は、太陽光発電ユニットごとに予め定めることができる。そのため、太陽光パネルの数は図に示す構成に制限されることなく、太陽光発電ユニットごと定められた任意の数にすることができる。
【０１０３】
また、太陽光パネルのそれぞれは、同等の発電性能を有するものでなくてもよい。太陽光パネルのそれぞれが同等の発電性能を有するものでない場合には、２つの（複数の）太陽光パネルにおける発電性能をそれぞれの定格性能によって規格化して、規格化した結果に基づいて上記の実施形態の処理を行うようにするとよい。このように規格化することにより、異なる定格性能を有する太陽光パネル同士を比較して、それぞれの太陽光パネルの異常を検出することが可能になる。
【０１０４】
また、個々の太陽光パネルには、製造段階で生じた個体差や設置状況などの影響を受け、厳密には同じ発電性能を発揮できるものとして扱うことができない場合が生じ得る。このような場合、例えば、特定のタイミングにおける発電性能に基づいて、個々の太陽光パネルの定格性能に対する補正処理を行うようにしてもよい。さらに、上記の補正により個々の太陽光パネルの定格性能に対するばらつきが生じた場合には、上記の「異なる定格性能を有する太陽光パネル同士の比較」方法に応じて規格化して処理するとよい。
【符号の説明】
【０１０５】
１、１Ａ・・・太陽光発電システム、
１００・・・太陽光発電装置、１１０、１２０、１３０・・・太陽光発電ユニット、
１１１、１１２、１１３・・・太陽光パネル、
１２１、１２２、１２３・・・太陽光パネル、
１３１、１３２、１３３・・・太陽光パネル、
２００・・・太陽光パネル監視装置、５００・・・通信路、
２１０・・・入力処理部、２８０・・・記憶部、２９０・・・出力処理部、
２４０・・・制御部、２４２・・・選択部、２４４・・・判定部、
３００・・・端末、
３・・・高圧盤、４・・・パワーコンディショナ―（ＰＣＳ）、
５・・・ＤＣ集約箱、６１、６２、６３・・・ブランチ
【図１】
2015106625.tif 000003
【図２】
2015106625.tif 000004
【図３】
2015106625.tif 000005
【図４】
2015106625.tif 000006
【図５】
2015106625.tif 000007
【図６】
2015106625.tif 000008